(57)【要約】  【課題】  異物の侵入によって解錠不能になるのを防ぎ、施錠あるいは解錠状態が一目で確認でき、解錠操作も簡単な共同溝出入り口等の蓋用施錠装置を提供する。  【解決手段】  キャップ１６を着脱可能に嵌めるためのキャップ受部１１ｃが上端に設けられ、キャップ受部の所定箇所から縦孔１１ｄが穿設された筒状本体部１１と、筒状本体部の縦孔に挿通されて弾性体２０により下方に付勢された軸部材１２と、上端に回転操作されるための操作凹溝１３ａが形成され、中間部に非円柱状の係合面１３ｂが形成され、筒状本体部に回転可能に挿入された出力シャフト部材１３と、出力シャフト部材の係合面に係合して下部に固着され、マンホールの固定受枠３２側の受部３３に係脱するロック部材１４と、出力シャフト部材の係合面に係合して下部に固着され、軸部材の下端に当接して軸部材を上方に押し上げ得る凸部１５が形成されたカム板１５ｂとを備える。  【選択図】  図２
2007063851.tif 000002
【特許請求の範囲】
【請求項１】
マンホールの蓋の縦孔に嵌挿して蓋に固着され、キャップを着脱可能に嵌めるためのキャップ受部が上端開口に設けられ、該キャップ受部の所定箇所から縦孔が穿設された筒状本体部と、該筒状本体部の縦孔に挿通されて弾性体により下方に付勢された軸部材と、上端に回転操作されるための操作凹溝が形成され、中間部に非円柱状の係合面が形成され、筒状本体部の下端部に回転可能に挿入された出力シャフト部材と、該出力シャフト部材の係合面に係合して下部に固着され、マンホールの固定受枠側の受部に係脱するロック部材と、出力シャフト部材の係合面に係合して下部に固着され、前記軸部材の下端に当接して軸部材を上方に押し上げ得る凸部が形成されたカム板とを備え、
前記出力シャフト部材を回転させてロック部材を受部から外すときに、カム板も出力シャフト部材と協動して回転し、カム板の凸部が軸部材の下端に当接して軸部材を上方に押し上げ、軸部材の上端がキャップ受部に突出し、キャップをキャップ受部に挿着不能にすることを特徴とするマンホール蓋用施錠装置。
【請求項２】
前記軸部材は、その上端が筒状本体部のキャップ受部と異なる色に着色されたものである請求項１に記載のマンホール蓋用施錠装置。
【請求項３】
前記出力シャフト部材に回転力を伝達し得るように前記操作凹溝に係合する係合部を下端に有し、上端には操作用ハンドルの端部に係合して回転力を受け得る係合部を有する連結シャフト部材が、前記筒状本体部に挿着されたものである請求項１に記載のマンホール蓋用施錠装置。
【発明の詳細な説明】
【技術分野】
【０００１】
本発明は、通信ケーブル、送電ケーブル、上下水道管を収納する共同溝等のマンホールの蓋に使用される施錠装置に関する。
【背景技術】
【０００２】
共同溝等の出入り口の蓋に使用される施錠装置では、錠前ユニットの鍵孔に泥等の異物が目詰まりしないように、鍵孔にキャップが嵌められたものがある。このような施錠装置では、施錠状態と解錠状態の判別が容易でないため、施錠し忘れた状態で鍵孔にキャップを嵌めてしまう可能性があり、この場合には、鍵が無くても蓋の開閉が可能になり、正当な権限者以外の者が共同溝に侵入する虞がある。
【０００３】
このような施錠し忘れを防止する機能を有する施錠装置としては、例えば、特許文献１に記載されたように、マンホールの蓋を上下方向に貫通する外筒と、この外筒に回転可能に収容された施錠軸と、施錠軸の下端部に固着され、固定受枠側の受部に係合する掛金板とからなり、解錠状態では施錠軸の上端が外筒の上端開口から突出するように形成したものがある。
【０００４】
しかしながら、特許文献１の施錠装置では、施錠軸の外周面にカム溝を形成し、このカム溝をガイドピンに摺動させることにより、下端に掛金板が固着された施錠軸全長を外筒内で上下動させるものであるため、施錠軸が比較的重く、開閉時にガタつき易くなり、施錠時と解錠時の操作性に課題がある。
【特許文献１】特許第３２９１２６９号公報
【発明の開示】
【発明が解決しようとする課題】
【０００５】
したがって、本発明の目的は、施錠状態或いは解錠状態が一目で確認できると共に、施錠時と解錠時の操作性が良好な共同溝出入り口等の蓋用施錠装置を提供することである。
【課題を解決するための手段】
【０００６】
本発明では、マンホールの蓋３０の縦孔３１に嵌挿して蓋３０に固着され、キャップ１６を着脱可能に嵌めるためのキャップ受部１１ｃが上端開口に設けられ、該キャップ受部１１ｃの所定箇所から縦孔１１ｄが穿設された筒状本体部１１と、該筒状本体部１１の縦孔１１ｄに挿通されて弾性体２０により下方に付勢された軸部材１２と、上端に回転操作するための操作凹溝１３ａが形成され、中間部に非円柱状の係合面１３ｂが形成され、筒状本体部１１の下端部に回転可能に挿入された出力シャフト部材１３と、該出力シャフト部材１３の係合面１３ｂに係合して下部に固着され、マンホールの固定受枠３２側の受部３３に係脱するロック部材１４と、出力シャフト部材１３の係合面１３ｂに係合して下部に固着され、前記軸部材１２の下端に当接して軸部材１２を上方に押し上げ得る凸部１５ｄが形成されたカム板１５とを備え、前記出力シャフト部材１３を回転させてロック部材１４を受部３３から外したときに、カム板１５も出力シャフト部材１３と協動して回転し、カム板１５の凸部１５ｄが軸部材１２の下端１２ａに当接して軸部材１２を上方に押し上げ、軸部材１２の上端１２ｃがキャップ受部１１ｃに突出し、キャップ１６をキャップ受部１１ｃに挿着不能にすることを特徴とするマンホール蓋用施錠装置１０が提供される。
【０００７】
上記構成において、カム板１５とロック部材１４の両部材は、出力シャフト部材１３の係合面１３ｂに係合しているものであるため、両部材は協動し、空回りすることなく、出力シャフト部材１３で回転操作される。これにより、ロック部材１４が回転操作され、マンホールの固定受枠側３２の受部３３から外されているときに、カム板１５は、その凸部１５ａが軸部材１２の下端１２ａに接触する角度にされる。カム板１５の凸部１５ｄは、軸部材１２を上方に押し上げて上端１２ｃをキャップ受部１１ｃに突出させ、キャップ１６をキャップ受部１１ｃに挿着不能にする。逆に、ロック部材１４が回転操作され、マンホールの固定受枠３２側の受部３３に係合されているとき、カム板１５は、その凸部１５ｄが軸部材１２の下端１２ａから外れる角度にされるため、軸部材１２の上端１２ｃは筒状本体部１１の縦孔１１ｄに収納され、キャップ受部１１ｃが、キャップ１６を挿着可能な状態になる。
以上のように、マンホール蓋用施錠装置１０を施錠・解錠するときには、出力シャフト部材１３を上下動させる必要も無く、単に回転操作するだけ良いため、開閉時のガタつきも発生せず、施錠時と解錠時に良好な操作性が得られる。
またマンホールの蓋３０が施錠装置１０によりロックされた状態のときには、キャップ受部１１ｃにキャップ１６を挿着可能であり、ここにキャップ１６が挿着できないときには、ロックされていない状態であるため、この施錠・解錠状態は一目で確認することが可能であり、施錠を忘れるといった事態を防止することができる。またキャップ受部１１ｃには、キャップ１６が挿着されることにより、ここから泥等の異物が流入して解錠不能になるのを防止できる。
【０００８】
本発明のマンホール蓋用施錠装置において、前記軸部材１２は、その上端１２ｃを筒状本体部１１のキャップ受部１１ｃと異なる色に着色することが可能である。このように着色部を軸部材１２の上端１２ｃに設ければ、軸部材１２がキャップ受部１１ｃから突出しているか否かの判別は更に容易になる。
【０００９】
また前記出力シャフト部材１３に回転力を伝達し得るように、前記操作凹溝１３ａに係合する出力係合部１３ｂを下端に有し、上端には操作用ハンドル２１の端部２１ａに係合して回転力を受け得る入力係合部１８ａ，１８ｂを有する連結シャフト部材１８を前記筒状本体部１１に挿着することが可能である。
【発明の効果】
【００１０】
本発明のマンホール蓋用施錠装置により、施錠状態或いは解錠状態が一目で確認できると共に、施錠時と解錠時に良好な操作性が得られる。
【発明を実施するための最良の形態】
【００１１】
以下、図面を参照して本発明について説明するが、本発明はこれに限定されるものではない。
【００１２】
本発明にかかるマンホール蓋用施錠装置１０は、図１の断面図に示したように、筒状本体部１１とインジケーターピン（軸部材）１２と出力シャフト部材１３とロック部材１４とカム板１５とを主要な構成として備え、これが、図２に示したように、マンホールの蓋３０の縦孔３１に嵌挿されて固着される。
図２はマンホールの蓋３０がマンホール蓋用施錠装置１０により施錠されたときのものであり、ロック部材１４はマンホールの固定受枠３２側の受部３３に係合し、内側キャップ１６が筒状本体部１１に挿着され、外側キャップ１７がマンホールの蓋３０の係合凹部３４に嵌め込まれている。ここで、内側キャップ１６は、磁石などに吸着可能な金属材料から形成し、また外側キャップ１７は耐候性が良好なゴムや合成樹脂材料から形成する。一方、図３は、マンホール蓋用施錠装置１０が解除されたときのものであり、ロック部材１４は受部３３から外され、インジケーターピン１２が筒状本体部１１の上端に突出し、これにより内側キャップ１６が挿着不能になっている。
【００１３】
次に、マンホール蓋用施錠装置１０の各構成について説明する。
図４（ａ）〜（ｃ）は、それぞれ筒状本体部１１の上面図、Ｘ１−Ｘ１線に沿った断面図、Ｙ１−Ｙ１線に沿った断面図である。
筒状本体部１１には、中央に出力シャフト部材１３及び連結シャフト部材１８を挿着するための貫通孔１１ａが形成され、この貫通孔１１ａの上端に雌螺子１１ｂが刻設されている。貫通孔１１ａは、上端開口が段状に切り欠かれ、内側キャップ１６を嵌め込むためのキャップ受部１１ｃが形成される。キャップ受部１１ｃからは縦孔１１ｄが複数箇所に穿設され、縦孔１１ｄの上端にフランジ１１ｅが形成され、縦孔１１ｄの下端に切欠部１１ｆが形成され、この切欠部１１ｆはカム板１５の凸部１５ａが動くためのスペースとされ、ピン止めプレート１９（図１参照）が固定される。また筒状本体部１１の外周面には段差部１１ｇが形成され、この段差部１１ｇには、図１〜図３に示したように、Ｏリング２４と固定リングワッシャー２５が設けられる。
縦孔１１ｄには、インジケーターピン１２とバネ２０が、図１に示したように挿着される。インジケーターピン１２は、図４（ｄ）に示したように、その下端が球面状に形成され、この球面状部１２ａの若干上方にフランジ１２ｂが形成され、上端１２ｃに赤色等の目立つ色が付けられている。球面状部１２ａは、カム板１５の凸部１５ａ上を摺動しやすいように、球面状に形成されたものであり、フランジ１２ｂは、バネ２０の下端が接触すると共に、ピン止めプレート１９の上面に係止するために設けられたものである。このインジケーターピン１２にはバネ２０が環装され、これが縦孔１１ｄに挿着されると、バネ２０が、縦孔１１ｄのフランジ１１ｅに反力を取ってインジケーターピン１２を下方に押圧し、逆に、ピン止めプレート１９がインジケーターピン１２を下方から支持する。
【００１４】
次に、図５は出力シャフト部材１３、連結シャフト部材１８及び操作用ハンドル２１の斜視図である。
出力シャフト部材１３は、図示したように、上端に操作凹溝１３ａが形成され、中間部に非円柱状に切り欠かれた係合面１３ｂが形成され、これら操作凹溝１３ａと係合面１３ｂとの間に段差部１３ｃが設けられ、下端に雄螺子１３ｄが刻設されている。
また連結シャフト部材１８は、上端面の中央に円柱状の凸部１８ａが突設されると共に、ほぼ三日月状の凸部１８ｂが上端面の周縁に突設され、中間部には環状の溝１８ｃにＯリング１８ｄが環装され、下端には、出力シャフト部材１３の操作凹溝１３ａに係合可能な下端係合部１８ｅが設けられる。
さらに、操作用ハンドル２１には、連結シャフト部材１８の上端に係合可能なように、下端部２１ａに孔２１ｂが穿設され、外周に切欠き面２１ｃが形成されている。この孔２１ｂは、連結シャフト部材１８の中央凸部１８ａに嵌合し、切欠き面２１ｃは、連結シャフト部材１８の周縁凸部１８ｂと係合するものである。そして、操作用ハンドル２１には下端部２１ａから垂直軸２１ｄが延長し、上端に把持部２１ｅが形成される。この把持部２１ｅは一端が磁力を有するように形成され、これにより、内側キャップ１６を吸着し、筒状本体部１１のキャップ受部１１ｃから内側キャップ１６を取り外す。
上記構成の出力シャフト部材１３と連結シャフト部材１８は、図１に示したように、それぞれ筒状本体部１１に挿着され、操作用ハンドル２１を連結シャフト部材１８の上端に係合させて回転操作することにより、出力シャフト部材１３を回転操作するものである。
【００１５】
次に、ロック部材１４は、図６に示したように、上面１４ａが平らな円形状に形成され、この上面１４ａのほぼ中央に孔１４ｂが穿設される。孔１４ｂの下方には、ナット２２等を取り付けるためのスペースとして凹部１４ｃが形成される。さらに、ロック端部１４ｄが上面１４ａよりも若干下がった位置に段状に突設されている。孔１４ｂの形状は、出力シャフト部材１３における非円柱状の係合面１３ｂに係合するように、これと相補な形状に形成される。
かような構成のロック部材１４は、図１に示したように、その孔１４ｂに、筒状本体部１１に挿着された出力シャフト部材１３の下端が挿通され、この下端の雄螺子１３ｄにナット２２が螺合され、これにより、ロック部材１４が筒状本体部１１に固定される。ロック部材１４の孔１４ｂには、相補な形状に形成された出力シャフト部材１３の係合面１３ｂが係合しているため、ロック部材１４は空回りすることなく、出力シャフト部材１３による回転操作が可能になる。
【００１６】
一方、カム板１５は、図７（ａ）〜（ｅ）に示したように、円形の板状部１５ａのほぼ中央に孔１５ｂが穿設され、下面１５ｃがほぼ平らに形成され、上面には周縁に沿って凸部１５ｄが形成される。凸部１５ｄには切欠き凹部１５ｅがほぼ対向位置の２箇所に形成される。孔１５ｂの形状は、出力シャフト部材１３における非円柱状の係合面１３ｂに係合するように、これと相補な形状に形成される。
かような構成のカム板１５が、図１に示したように、スプリングワッシャー２３を介してロック部材１４の上面１４ａに配置され、その孔１５ｂには、筒状本体部１１に挿着された出力シャフト部材１３の下端が挿通され、係合面１３ｂに係合しているため、カム板１５はロック部材１４と協動し、空回りすることなく、出力シャフト部材１３により回転操作される。またカム板１５の凸部１５ｄ或いは切欠き凹部１５ｅには、インジケーターピン１２の下端の球面状部１２ａが接触する。つまり、カム板１５が回転操作されることにより、インジケーターピン１２の下端が凸部１５ｄに接触したときには、インジケーターピン１２の上端が筒状本体部１１のキャップ受部１１ｃから突出し、内側キャップ１６が挿着不能になる一方で、インジケーターピン１２の下端が切欠き凹部１５ｅに接触したときには、インジケーターピン１２の上端は縦孔１１ｄ内に納まり、キャップ受部１１ｃには内側キャップ１６が挿着可能になる。
【００１７】
上記構成のマンホール蓋用施錠装置１０は、図２に示した状態でマンホールの蓋３０を施錠するものであり、このマンホールの蓋３０を取り外すときには、最初に、外側キャップ１７と内側キャップ１６を外し、次に、操作用ハンドル２１の下端を連結シャフト部材１８の上端に嵌めて、操作用ハンドル２１を回転させる。これにより、連結シャフト部材１８から出力シャフト部材１３に回転力が伝わり、この出力シャフト部材１３の係合面１３ｂに係合しているロック部材１４及びカム板１５は回転し、ロック部材１４のロック端部１４ｄはマンホールの固定受枠３２側の受部３３から外される。このとき、カム板１５はロック部材１４と協動して回転し、その凸部１５ｄがインジケーターピン１２の下端の球面状部１２ａを摺動し、インジケーターピン１２を上方に押し上げる。インジケーターピン１２の上端１２ｃは、筒状本体部１１のキャップ受部１１ｃに突出し、これによりキャップ受部１１ｃには内側キャップ１６を装着することが不可能になる。
【００１８】
逆に、操作用ハンドル２１により、ロック部材１４をマンホールの固定受枠３２側の受部３３に係合させるべく、出力シャフト部材１３を回転操作したときには、カム板１５がロック部材１４に協動して回転し、インジケーターピン１２の下端は、カム板１５の凸部１５ｄから外れ、切欠き凹部１５ｅに係合するため、インジケーターピン１２はバネ２０により下方に押し下げられる。これにより、インジケーターピン１２の上端１２ｃは、筒状本体部１１の縦孔１１ｄに納まり、キャップ受部１１ｃには内側キャップ１６を装着することが可能になる。
以上のように、マンホール蓋用施錠装置１０において、キャップ１６が挿着できないときには、ロックされていない状態であるため、この施錠・解錠状態は一目で確認することが可能であり、施錠を忘れるといった事態を防止することができる。
【図面の簡単な説明】
【００１９】
【図１】本発明にかかるマンホール蓋用施錠装置の断面図である。
【図２】マンホール蓋用施錠装置が施錠されているときの断面図である。
【図３】マンホール蓋用施錠装置が施錠解除されているときの断面図である。
【図４】（ａ）は筒状本体部の上面図であり、（ｂ）はＸ１−Ｘ１線に沿った断面図であり、（ｃ）はＹ１−Ｙ１線に沿った断面図である。（ｄ）は筒状本体部に挿着されるインジケーターピンの側面図である。
【図５】出力シャフト部材、連結シャフト部材及び操作用ハンドルの斜視図である。
【図６】（ａ）はロック部材の平面図であり、（ｂ）は断面図である。
【図７】（ａ）はカム板の平面図であり、（ｂ）はＸ２−Ｘ２線に沿った断面図であり、（ｃ）はＸ２方向から見た側面図であり、（ｄ）はＹ２−Ｙ２線に沿った断面図であり、（ｅ）はＹ２方向から見た側面図である。
【符号の説明】
【００２０】
１０  マンホール蓋用施錠装置
１１  筒状本体部
１１ｃ  キャップ受部
１１ｄ  縦孔
１２  インジケーターピン（軸部材）
１３  出力シャフト部材
１３ａ  操作凹溝
１３ｂ  係合面
１４  ロック部材
１５  カム板
１５ｂ  凸部
１６  内側キャップ
１８  連結シャフト部材
１８ａ  中央凸部
１８ｂ  周縁凸部
１８ｅ  下端係合部
２０  バネ（弾性体）
３０  マンホールの蓋
３１  縦孔
３２  固定受枠
３３  受部
【図１】
2007063851.tif 000003
【図２】
2007063851.tif 000004
【図３】
2007063851.tif 000005
【図４】
2007063851.tif 000006
【図５】
2007063851.tif 000007
【図６】
2007063851.tif 000008
【図７】
2007063851.tif 000009